【事件の表示】
　特願２００８−１５０４６９号「ペット用冷暖房装置」拒絶査定不服審判事件〔平成２１年１２月１７日出願公開、特開２００９−２９１１６５号〕について、次のとおり審決する。
【結　論】
　本件審判の請求は、成り立たない。
【理　由】
第１　手続の経緯
　本願は、平成２０年６月９日の出願であって、平成２６年３月１７日付けで拒絶査定がなされ、これに対し、同年５月８日に拒絶査定不服審判の請求がなされたものである。
　　
第２　本願発明
　平成２６年１月２８日受付けの手続補正は同年３月１７日に却下されているので、本願の請求項１乃至３に係る発明は、平成２５年５月２０日受付けの手続補正書で補正された特許請求の範囲の請求項１乃至３に記載された事項により特定されるところ、そのうち請求項１に係る発明は、次のとおりのものである。（以下、「本願発明」という。）
「ペットの巣箱や飼育ケースの底面全体あるいは一部に当接させ、該当接された床面を熱伝導で熱を伝導させることができる、あるいはペットの犬や猫がねそべることができる熱伝導板と、この熱伝導板に吸熱側を取り付けたペルチェ素子と、このペルチェ素子の放熱側に取り付けたファンを用いない放熱板と、前記ペルチェ素子の駆動装置とからなることを特徴とするペット用冷暖房装置。」
　　
第３　引用刊行物記載の発明
　原査定の拒絶の理由に引用され、本願出願前に頒布された刊行物である、特開平７−３２２７８５号公報（以下、「引用例１」という。）には、図面とともに、次の事項が記載されている。
（１）「【請求項１】省略。
【請求項２】側部または底部に吸気口と排気口を備えた筐体と、当該筐体に収納して、上記吸気口の空気と熱交換して上記排気口へ排気する、冷却できる手段と加温できる手段を備えた装置と、上記筐体の上面部に設けてほぼ水平方向に保持した熱伝導体のマットと、当該マットと上記装置を熱伝導部材で接続した温度調節ができる動物用マット。
【請求項３】乃至【請求項７】省略。
【請求項８】請求項１〜７の温度調節ができる動物用マットにおいて、冷却できる手段と加温できる手段を備えた装置に、熱電変換素子を用いた温度調節ができる動物用マット。
【請求項９】請求項１〜７の温度調節ができる動物用マットにおいて、冷却できる手段と加温できる手段を備えた装置に、熱電変換素子と、当該熱電変換素子と熱伝導接続する放熱フィンと、当該放熱フィンと熱交換する空気流を生成する冷却ファンを用いた温度調節ができる動物用マット。
【請求項１０】乃至【請求項１７】省略。
【請求項１８】請求項１〜１７の温度調節ができる動物用マットにおいて、１または複数箇所の開口部を備え、マットの上面部を床の要所として、マットの上部に配置するカプセルをさらに備えた温度調節ができる動物用マット。
【請求項１９】省略。」
　
（２）「【０００３】
【発明が解決しようとする課題】温度調節ができる動物用マットに関し、軽量で小型な外形とし、家屋内で手軽に取り扱えるように箱形状に制約されない構成と、冷却の反作用として発生する排熱が、マット面の冷却効果を損なうことのない構造と、ペット等の習性に対してより快適な居住性を与える温度調節ができる動物用マットを提供する。」
　
（３）「【０００７】
【実施例】図を用いて実施例を説明する。　図１は外観例で、１はプラスチックで成形した筐体、２はマットで熱伝導率の高いアルミ材平板を用いている。３は断熱部、４は障壁部で共にコルク等で構成している。障壁部４は、本動物用マットへ接近中のペット等に対しては障壁となるが、マット２面上に居るペット等にとっては、例えば寄りかかったり、顎を載せてリラックスして眠る時の快適な枕部となる等の二次的な機能もある。５は冷却／加温手段の吸気口で、通常埃やペット等の抜け毛等による目詰まりで吸気機能が低下しないよう筐体の側面部や底部の隙間等にも開口する。６は冷却／加温手段の排気口で、吸気口５と共に格子状の窓を設けて空気の流入流出に障害とならず、かつ小型のペット等が手足を差し込めない開口とする配慮が成されている。７は直流電源用コードとコネクターで、汎用直流電源装置（図示説明は省略）から所定の電圧電流、例えば１２Ｖ３Ａの直流を受電する。
【０００８】図２は動物用マットの構造を示す断面図である。この説明では、例えば冷却の場合として述べる。各符号は図１と同じであるが、８は熱電変換素子（ペルチェ素子）である。コネクター７から所定の直流が供給されるとマット２側を冷却する極性に結線する。９は熱伝導率の高いアルミ材を用いた熱伝導部材で、熱電変換素子８に熱伝導良く接続させてある。効率良く熱伝導接続する手法には、ネジと伝熱グリスを用いた機械的圧接法や例えばエポキシ系の伝熱接着剤による方法等があるが、これは従来の技術で良く接続部位に応じて使い分けることとして個々の説明は省略する。熱伝導部材９のもう一方は、やはり熱伝導良く接続させた放熱フィン１０と組合わせる。マット２、熱伝導部材９、熱電変換素子８、放熱フィン１０の各部間は断熱と機械的強度を得る目的で断熱部３のコルク材等で一体化構成する。熱伝導部材９は本実施例では２分割して、熱電変換素子８を挟み込む構造としている。これはマット２、熱電変換素子８、放熱フィン１０を効率良く熱伝導接続するための介在部であって、マット２と熱電変換素子８の接続部の形状、熱電変換素子８と放熱フィン１０の接続部の形状によっては、熱伝導部材９の片方または両方を介在せず直接接続する構成とすることもできる。
【０００９】続いて図３の回路図と併せて説明すると、１１は冷却ファンで、コネクター７から所定の例えば１２Ｖ直流電源が供給されると、吸気口５から外気を吸入し、放熱フィン１０、排気口６の方向に空気流を発生する極性に結線する。マット２の下面にサーモスタット１２が熱伝導良く接続してある。サーモスタット１２の規格は、例えばマット２の温度が３３℃以下になると電源回路をＯＦＦにして、熱電変換素子８、冷却ファン１１の作動を停止してマット面の冷え過ぎを制御するものとする。そして室内空気温度、ペット等の体温によってマット面が温度上昇すると、再びサーモスタット１２がＯＮとなって、熱電変換素子８、冷却ファン１１等を備えた冷却手段が作動を繰り返す。」
　
（４）「【００１２】また上記実施例の説明では冷却の場合としたが、冷却／加温手段が熱電変換素子（ペルチェ素子）方式であるため、当該素子への電流の極性を反転させると、マット２面を加温し、いわゆる暖房マットとすることができる。この場合、熱移動が逆であること、サーモスタット１２の規格を変更すること、図４の比較回路１６の入力信号の極性を逆にする等の他は同様であるので説明の詳細は省略する。」
　
（５）「【００１７】図９は他の実施例である。人の出入りの特に激しい部屋や速い空気流に常に曝されている場所では、ペット等が精神的に不安定になるばかりでなく、マット２面の温度制御が設定どおりにならない場合がある。１８はカプセルであり、プラスチック板あるいは金属の骨組みと塩化ビニルシート等の材料で構成する。カプセル１８はペット等の出入口用の開口部を壁面に１箇所または適当数設けてあるが、床の無いドーム形状を基本としている。これをマット２面上におおい被せて使用する。このようにカプセル１８は風防の効果を発揮する。マット２面に冷／温熱面があるため、カプセル１８によって本来の機能が損なわれる事がなく、神経質なペット等に必要な囲いを与えることができる。また上記の何れの実施例の動物用マットにも用いることができる。」
　
（６）「【００２０】・・・。
【発明の効果】・・・。請求項１８の発明による効果は、請求項１〜１７の温度調節ができる動物用マットにおいて、マットの上部に配置するカプセルをさらに備えて、風通しの激しい場所でも当該動物用マットの機能を発揮でき、また従来の箱形状の犬舎等としても使用できる温度調節ができる動物用マットを構成したことである。・・・。」
　
（７）上記記載事項（１）、（３）を参照すると、冷却の場合、マット２側を冷却する極性に結線するから、マット２と冷却できる手段と加温できる手段（以後、「冷却／加温手段」という。）を備えた装置を接続する熱伝導部材９は熱電変換素子（ペルチェ素子）８（以後、「ペルチェ素子８」という。）の吸熱側に接続され、ペルチェ素子８の放熱側に放熱フィン１０が接続されることが明らかである。また、記載事項（１）、（３）を参照して特に図２、５をみると、上記熱伝導部材９は、マット２の一部に当接しており、放熱フィン１０は板状であることが明らかである。
　
　これら記載事項及び図面の記載から、引用例１には、次の発明（以下、「引用発明」という。）が記載されていると認められる。
 「熱伝導体のマット２と熱伝導部材９で接続される、温度調節ができる動物用マットに用いられる冷却／加温手段を備えた装置であって、ペルチェ素子８と、当該ペルチェ素子８と熱伝導部材９を介して熱伝導接続する放熱フィン１０と、当該放熱フィン１０に空気流を発生する冷却ファン１１と、所定の直流が供給される直流電源用コードとコネクター７を用い、マット２の上面部を床の要所として、マット２の上部にカプセル１８を配置して従来の箱形状の犬舎としても使用でき、上記マット２と冷却／加温手段を備えた装置を接続する熱伝導部材９は、熱伝導率の高いアルミ材を用い、マット２の一部に当接しており、冷却の場合は、マット２側を冷却する極性に結線するから、該熱伝導部材９はペルチェ素子８の吸熱側に接続され、ペルチェ素子８の放熱側に板状の放熱フィン１０が接続され、また、マット２面を加温し、いわゆる暖房マットとする場合は、素子への電流の極性を反転させる、温度調節ができる動物用マットに用いられる冷却／加温手段を備えた装置。」
　　
第４　対比
　本願発明と引用発明とを対比すると、引用発明の「動物用マットに用いられる冷却／加温手段を備えた装置」は、本願発明の「ペット用冷暖房装置」に相当し、同様に、
「箱形状の犬舎」として使用した場合の「マット２」は「ペットの」「飼育ケース」の「底の一部面」に、
「熱伝導率の高いアルミ材を用い、マット２」「に当接」は「当接された床面を熱伝導で熱を伝導させることができる」に、
「熱伝導部材９」は「熱伝導板」に、
「板状の放熱フィン１０」は「放熱板」に、
「所定の直流が供給される直流電源用コードとコネクター７」は「ペルチェ素子の駆動装置」に、それぞれ相当する。
　また、引用発明における、冷却の場合の、「熱伝導部材９は」「ペルチェ素子８」の「吸熱側に接続され」、「放熱側に板状の放熱フィン１０」が「接続され」は、本願発明の「熱伝導板に」「ペルチェ素子」の「吸熱側を取り付け」、「放熱側に」「放熱板」を「取り付け」に相当する。
　
　したがって、両者は、次の点で一致している。
（一致点）
「ペットの飼育ケースの底面の一部に当接させ、該当接された床面を熱伝導で熱を伝導させることができる熱伝導板と、この熱伝導板に吸熱側を取り付けたペルチェ素子と、このペルチェ素子の放熱側に取り付けた放熱板と、前記ペルチェ素子の駆動装置とからなるペット用冷暖房装置。」
　
　そして、次の点で相違している。
（相違点）
　放熱板について、本願発明では、ファンを用いないのに対し、引用発明では、ファンを用いている点。
　
第５　判断
　ペルチェ素子を用いた熱交換装置において、放熱用のファンを用いないことは、例えば、特開２０００−２１６４４５号公報（【００２７】参照）、特開２００１−１３３０７４号公報（【００２１】参照）、特開平７−２５３２６４号公報（【００１３】参照）のように、本願出願前から周知の技術であり、自然対流で放熱できれば、放熱用のファンは必ずしも必要としないことは広く知られていることである。
　一方、引用発明のペット用冷暖房装置は、ペット用故、装置規模も大きくなく、温度調整幅もさほど大きくないから、放熱量もさほど大きくないことは明らかである。
　そうすると、放熱量がさほど大きくない引用発明において、前記周知技術を採用し、放熱板にファンを用いないようにすること、すなわち前記相違点に係る本願発明の構成にすることは当業者なら容易になし得ることである。
　そして、本願発明の効果は、引用発明及び周知の技術から当業者が予測し得る範囲のものであって格別なものということができない。
　　
第６　むすび 
　以上のとおり、本願発明は、引用発明及び周知の技術に基いて当業者が容易に発明をすることができたものであるから、特許法第２９条第２項の規定により特許を受けることができない。
　したがって、その余の請求項に係る発明について検討するまでもなく、本願は拒絶すべきものである。
　よって、結論のとおり審決する。